(57)【要約】【課題】踵骨を固定する十分な外圧を加えることのできるサポーターを提供する。【解決手段】足の甲から足裏へかけて巻きつけられて固定される装着部２と、装着部２から踵側へ延出する２つの帯体３ａ、３ｂを有する。装着部２の外側面の全面には第１ファスナー（面状ファスナー）２１が設けられ、裏側の一端には第３ファスナー（面状ファスナー）２２１、２３１が設けられ、帯体３ａ、３ｂの先端には第２ファスナー３３ａ、３３ｂが設けられる。装着時には、２つの帯体３ａ、３ｂを引き伸ばしつつ、踵の頂点で交差するように踵に巻きつけ、足の甲の位置で第２ファスナー３３ａ、３３ｂを第１ファスー２１に接続する。【選択図】図１
2008212630.tif 000002
【特許請求の範囲】
【請求項１】
足の裏から足の甲にかけて外装されて足に対して固定される装着部と、
前記装着部の外側面に設けられた第１ファスナーと、
前記装着部に基端が固定され、踵方向へ延設された帯体と、
前記帯体の先端部に設けられ、前記第１ファスナーに着脱自在に接続される第２ファスナーとを有し、
前記帯体は、基端と先端とを結ぶ方向へ伸びる弾性体であり、足への装着時においては、伸張状態とされた後、足の踵部を覆った状態で爪先方向へ折り返され、伸張状態を維持したまま第２ファスナーが第１ファスナーに接続固定されることを特徴とするサポータ。
【請求項２】
前記帯体は、幅方向にも弾性変形可能に構成されている請求項１に記載のサポータ。
【請求項３】
前記帯体は、２つ以上設けられている請求項１又は２に記載のサポータ。
【請求項４】
前記装着部を足に装着した状態において、少なくとも一対の帯体は、それぞれ踵の側方へ向けて、それぞれ異なる方向へ延設されており、足への装着時には踵部で交差するように装着される請求項１〜３のいずれか１に記載のサポータ。
【請求項５】
前記装着部は、帯状に形成され、裏側面の一端部に前記第１ファスナーに着脱自在に接続される第３ファスナーを有し、装着部を足に巻きつけ、第１ファスナーに第３ファスナーを巻きつけることによって装着される請求項１〜４のいずれか１に記載のサポータ。
【請求項６】
足の裏から足の甲にかけて外装されて足に対して固定される装着部と、
基端と先端が前記装着部の足裏部分と足甲部分とにそれぞれ接続されて環状に形成された帯体とを備えた履物であって、
前記帯体は弾性体で構成され、足への装着時においては、前記帯体は、伸張状態で足の踵部を覆った状態となることを特徴とする履物。
【請求項７】
前記帯体は２つ以上設けられ、足への装着時においては、複数の帯体が、足の踵部で交差した状態となっている請求項６に記載の履物。
【発明の詳細な説明】
【技術分野】
【０００１】
本発明は、サポータにかかり、より詳細には、足の踵部を保護するサポータ及び履物に関する。
【背景技術】
【０００２】
足関節の痛み、踵の痛み、外反母趾、足の強い疲労感、タコの痛み等の障害は、立仕事をする者やスポーツの間において慢性的に持っていることが多い。このような障害の足部生体力学原因に足部骨格のアライメント異常（偏平足、凹足等）があり、歩行サイクルにおける立脚相おいて後足部が過回内をする。後足部の過回内は、上記障害の発生原因だけでなく歩幅の減少により歩行姿勢に影響し、頸、肩、腰の障害の原因ともされている。
【０００３】
上記障害がある場合、従来からの方法として足関節の固定サポータ、土踏まずを圧迫するサポータ、土踏まずにアーチサポートのある靴の中敷、または踵に当てるクッションパッド等が市販されている。これらは前額面での踵骨の外反、内反の動きを固定、または単に足裏を部分的に圧迫しているにすぎない。 
このような場合には、既述の従来のサポータでは、例えば特許文献１に示されているような足首サポータなどか提案されている。
【特許文献１】特開２００１−３４６８２４号
【発明の開示】
【発明が解決しようとする課題】
【０００４】
しかしながら、上記特許文献１に記載のサポータは、これらは前額面での踵骨の外反、内反の動きを固定、または単に足裏を部分的に圧迫しているにすぎない。回内や回外を予防するには、横足根関節及び距骨下関節の動きを同時に矯正する必要があるにもかかわらず、上記従来のサポータの構成では、踵収納部自体は、伸縮性を保持しておらず、踵骨の回内や回外を予防することが困難であるといった問題があった。 
本発明の目的は、単に固定や圧迫をするのではなく、立脚相での後足部の過回内を矯正し正常な歩行サイクルに導くことのできるサポータ及び履物を提供することにある。
【課題を解決するための手段】
【０００５】
以上のような問題を解決する本発明は、以下のような構成を有する。 
(１)  足の裏から足の甲にかけて外装されて足に対して固定される装着部と、
前記装着部の外側面に設けられた第１ファスナーと、
前記装着部に基端が固定され、踵方向へ延設された帯体と、
前記帯体の先端部に設けられ、前記第１ファスナーに着脱自在に接続される第２ファスナーとを有し、
前記帯体は、基端と先端とを結ぶ方向へ伸びる弾性体であり、足への装着時においては、伸張状態とされた後、足の踵部を覆った状態で爪先方向へ折り返され、伸張状態を維持したまま第２ファスナーが第１ファスナーに接続固定されることを特徴とするサポータ。
【０００６】
(２)  前記帯体は、幅方向にも弾性変形可能に構成されている上記（１）に記載のサポータ。
【０００７】
(３)  前記帯体は、２つ以上設けられている上記（１）又は(２)に記載のサポータ。
【０００８】
(４)  前記装着部を足に装着した状態において、少なくとも一対の帯体は、それぞれ踵の側方へ向けて、それぞれ異なる方向へ延設されており、足への装着時には踵部の頂点で交差するように装着される上記（１）〜（３）のいずれか１に記載のサポータ。
【０００９】
(５)  前記装着部は、帯状に形成され、裏側面の一端部に前記第１ファスナーに着脱自在に接続される第３ファスナーを有し、装着部を足に巻きつけ、第１ファスナーに第３ファスナーを巻きつけることによって装着される上記（１）〜（４）のいずれか１に記載のサポータ。
【００１０】
(６)  足の裏から足の甲にかけて外装されて足に対して固定される装着部と、
基端と先端が前記装着部の足裏部分と足甲部分とにそれぞれ接続されて環状に形成された帯体とを備えた履物であって、
前記帯体は弾性体で構成され、足への装着時においては、前記帯体は、伸張状態で足の踵部を覆った状態となることを特徴とする履物。
【００１１】
(７)  前記帯体は２つ以上設けられ、足への装着時においては、複数の帯体が、足の踵部で交差した状態となっている上記（６）に記載の履物。
【発明の効果】
【００１２】
請求項１記載の発明によれば、装着部によって足に固定されたサポータの帯体を、足の踵を覆うように踵に巻きつけ、帯体を伸ばした状態で先端部の第２ファスナーを第１ファスナーに接続させる。帯体は、弾性体であるため、伸びた状態で踵部を覆うことで、踵部を包み込んだ状態で、踵骨に対して距骨や立方骨の方向へ押し込む力を与える。帯体は、全体が弾性体であるので、踵部に接触している部分も、全体として縮む方向（復元する方向）に力が生じており、踵部全体を包み込む方向に外力を加えつつ、踵骨の位置を矯正又は固定する作用を発揮する。また、踵骨につながる靭帯を補強する作用も発揮される。一方、装着部によって横足根関節の動きが規制され、帯体によって距骨下関節の動きが規制され、これらの効果が同時に作用することにより、後足部の過回内が有効に矯正される。さらに、踵の底に位置する脂肪パッドを帯体が両側から包み込むように圧迫するため、脂肪パッドの厚みが増し、足本来が持つ踵の衝撃吸収機能が向上する。
【００１３】
請求項２記載の発明によれば、帯体が幅方向にも弾性変形可能に構成されているので、踵骨を包み込む作用がさらに効果的に発揮され、後足部の過回内の矯正又は踵の固定、或いは踵骨周囲の靭帯を補強する作用が、さらに効果的に発揮される。 
請求項３記載の発明によれば、帯体を２つ以上設け、複数の帯体によって踵骨を矯正又は固定し、周囲の靭帯を補強する効果がさらに増大する。特に、各帯体を踵部に巻きつける方向を異なるものとすれば、踵骨の位置を固定する外力の方向が増えて、後足部の過回内の矯正又は踵の固定、或いは踵骨周囲の靭帯を補強する作用が一層有効に発揮される。特に、踵の底に位置する脂肪パッドを帯体が圧迫する力増加するため、脂肪パッドの厚みをより厚くし、衝撃吸収機能をさらに向上させることができる。
【００１４】
請求項４記載の発明によれば、少なくもと一対の帯体を、装着時に踵部の頂点で交差するように配置することで、踵を包み込む作用と、距骨や立方骨の方向へ押し込む力を最も効率よく発揮させることができる。 
請求項５記載の発明によれば、装着部を帯状として、足に巻きつけ、第１ファスナーに第３ファスナーを巻きつけることにより、装着部を装着する構成とすることにより、装着部をフリーサイズとすることができる。
【００１５】
請求項６に記載の発明によれば、装着部や帯体を履物に一体として設けることによって、履物自体に踵骨の位置を固定する作用を付与させることができる。 
請求項７に記載の発明によれば、帯体を２つ以上設け、複数の帯体によって踵骨を矯正又は固定し、周囲の靭帯を補強する効果がさらに増大する。特に、各帯体を踵部に巻きつける方向を異なるものとすれば、踵骨の位置を固定する外力の方向が増えて、踵骨を一層安定させることができる。
【発明を実施するための最良の形態】
【００１６】
以下、本発明の好適実施形態について、添付図面に基づいて詳細に説明する。図１は、本発明の第１実施形態のサポータ１を展開した状態を示す平面図である。サポータ１は、装着部２と、装着部２に一端が固定された２つの帯体３ａ、３ｂとを備えている。装着部２は、帯状に形成されており、足に巻きつけた際に外側に位置する側面には、第１ファスナーである全面に面状ファスナー２１が設けられている。装着部２の裏側２０において、その中央部には帯体３ａ、３ｂの基端が固定されている。装着部２０の一端は、２つに分割された接続部２２、２３が形成され、各接続部２２、２３の裏側には、第３ファスナーである面状ファスナー２２１、２３１がそれぞれ設けられている。これらの面状ファスナー２２１、２３１は、装着部２を足に巻きつけた際に、外側の面状ファスナー２１に接続される。
【００１７】
一方、１対の帯体３ａ、３ｂは、装着部２の中央部において基端部３２ａ、３２ｂが固定され、基端から先端へ向けて互いに離れる方向に傾斜した状態となっている。帯体３ａ、３ｂは、それぞれ弾性を有する布材３１ａ、３１ｂにより構成されており、先端部の裏側には、それぞれ第２ファスナーとしての面状ファスナー３３ａ、３３ｂが設けられている。また、帯体３ａ、３ｂには、長辺方向（図中  Ｘ軸方向）にスリット３１ａ、３１ｂが等間隔で、複数形成されており、幅方向（図中  Ｙ軸方向）にも同様に等間隔で配置され、幅方向には互い違いに配置されている。このスリット３１ａ、３１ｂは、切り込みであってもよく、幅方向に広がって、適宜帯体３ａ、３ｂの幅を拡張させる作用を有するものである。
【００１８】
このように構成されるサポータ１の作用について説明する。図２に示されているように、装着部２の裏側が足Ｆ１の表面に接触するように、装着部２を足に巻きつける。この際、帯体３ａ、３ｂの基端部が、足裏に位置し、踵側へ帯体３ａ、３ｂが延びるように装着部２の位置を調整する。装着部２を巻きつける際には、接続部２２、２３が外側に位置するように巻きつける。装着部２の外側には、全面に面状ファスナー２１が設けられているので、足のサイズに合わせて、接続部２２、２３の面状ファスナー２２１、２３１を面状ファスナー２１に接続する位置を調整することができる。そして、装着部２の裏面が足の甲や足裏に密着するように装着させる。
【００１９】
次に、図３に示されているように、どちらか一方の帯体３１ａを引き伸ばしながら、踵の頂点を覆うように、足首Ｆ２の外側から踵に巻きつけ、さらに引き伸ばして先端の面状ファスナー３３ａを、装着部２の足の甲に位置する部分に、足首Ｆ２の内側から接続する。帯体３１ａは、弾性材料で構成されているので、伸ばした状態で装着された帯体３ａは、踵を足本体へ向けて押さえつける方向に締付けることとなる。 
同様に、図４に示されているように、他方の帯体３１ｂを引き伸ばしながら、踵の頂点を覆うように、足首Ｆ２の内側から踵に巻きつけ、さらに引き伸ばして先端の面状ファスナー３３ｂを、装着部２の足の甲に位置する部分に、足首Ｆ２の外側から接続する。
【００２０】
図５及び図６に示されているように、踵部Ｆ３の頂点部分２つの帯体３ａ、３ｂが交差することで、２つの帯体３ａ、３ｂの復元力が両側から均等に加わり、踵骨を矯正又は固定し、或いは靭帯を補強する作用が発揮される。また、装着部２で横足根関節の動きを規制し、帯体３ａ、３ｂで距骨下関節の動きを規制することで、連動して動く横足根関節と距骨下関節とを同時に規制し、立脚相での後足部の過回内を矯正し、正常な歩行サイクルに復帰させることができる。 
各帯体３ａ、３ｂに形成されているスリット３１１ａ、３１１ｂは、踵部分で広がることで、帯体３ａ、３ｂの幅を広くさせる作用があり、これにより、踵部をより広い範囲で包み込むことができ、踵骨を確実に保持することができる。さらに、図５中において、矢印Ｓ１、Ｓ２、Ｓ３、Ｓ４に示されているように、踵部Ｆ３に対して交差する方向から力が加わることとなる。
【００２１】
図７及び図８は、本発明のサポータ１を装着した足の骨格を示す図である。図７（Ａ）に示されているように、サポータ１を装着する前の状態では、踵骨Ｂ１の下側にある脂肪組織(脂肪パッド部分Ｈ１)は平たくなっているが、図７（Ｂ）に示されているように、サポータ１を装着すると、帯体３ｂ、３ａによって、踵骨Ｂ１の周囲の脂肪組織が骨の方向(矢印Ｓ５、Ｓ６方向)に圧迫され、下方へ押し出される。この結果、脂肪パッド部分Ｈ１の厚みが増加する。
【００２２】
同様に、図８（Ａ）に示されているように、足Ｆ１の甲部分と、踵の後部には、脂肪組織が存在する。ここで、サポータ１を装着すると、図８(Ｂ)に示されているように、踵の後部に位置する脂肪組織が帯体３ａ、３ｂによって圧迫されて（矢印Ｓ８方向）、踵の下方へ押し出され、また、土踏まず部分に位置する脂肪組織も装着部２によって圧迫されて（矢印Ｓ７方向）、踵の方へ押し出される。これらの作用によっても、脂肪パット部分Ｈ１の厚みが増加する。これらの作用によって、脂肪パッドによる踵の衝撃吸収機能を向上させることができる。
【００２３】
以上説明した構成の他、帯体３ａ、３ｂは、足の甲に位置する部位に基端が固定され、先端を足の裏に位置する部位で面状ファスナー３３ａ、３３ｂを装着部２に接続する構成としてもよい。この他、第２実施形態として、図９に示されているように、帯体３Ａａ、３Ａｂの基端と先端をそれぞれ第１実施形態で接続される位置に(縫い付けなどにより)予め固定した構成とし、装着部２Ａをループ状の弾性帯体で構成してもよい。このような構成とした場合には、装着部２Ａ及び帯体３Ａａ、３Ａｂを引き伸ばした状態として足に装着する装着方法が採られる。この場合、帯体３Ａａ、３Ａｂの交差する部分の上部に形成された挿入口３９から足を挿入する。この為、装着部２Ａ及び帯体３Ａａ、３Ａｂの伸張前の長さは、装着される足の大きさよりも十分小さく設定され、足への装着時には、伸張状態となり、足に対して適度な圧迫固定が可能となるように構成されている。
【００２４】
このように構成されたサポータ１Ａは、図１０、図１１に示されているように、靴下や足袋などの履物に一体として構成されていてもよい。図１０は、サポータ１Ａが靴下４に一体として縫着された構成を示す全体斜視図、図１１は、該靴下４が足に装着された状態を示す全体斜視図である。靴下４の足首を構成する部分が、サポータ１Ａで構成され、装着部２Ａのつま先側に、靴下のつま先部分を構成する袋状部４１が縫着等により接続され、帯体３Ａａ、３Ａｂ交差部分に形成された挿入口３９に口４２を有する脚部４３が接続されている。このように構成された靴下４を装着することによって、図１１に示されているように、足首に対してサポータ１Ａが作用するよう構成することができる。さらに、他の構成例として靴下に重ねてサポータ１Ａを一体として取り付けてもよく、取付位置は、靴下の裏側であっても、外側であってもよい。
【００２５】
上記第３実施形態に加えて、スリッパ、サンダル、靴などの履物と一体として構成されていてもよい。また、スリッパ、サンダル、靴など、足の甲の部分が露出する履物の場合には、帯体３ａ、３ｂの先端を面状ファスナーで接続する構成の第１実施形態のサポータが一体として、履物に取り付けてもよい。この場合には、装着部２が、履物の底部に固定された構成を採ることができる。底部材に対して、足の甲を挿入する装着部２が履物の一部を構成する構成とすることもできる。
【００２６】
上記説明した各構成において、帯体３ａ、３ｂは、２つに限らず、３つ以上設けられていても良い。 
帯体の構成は、ゴム材を帯状に形成したものや、弾性繊維で編み込まれた織物、或いは伸縮可能に織り込まれた織物の一部に弾性繊維を織り込んだものなど、弾性を有する帯であればよい。
【図面の簡単な説明】
【００２７】
【図１】本発明のサポータを展開した状態を示す平面図である。
【図２】足に装着部を装着した状態を示す全体斜視図である。
【図３】足に帯体の一部を装着した状態を示す全体斜視図である。
【図４】足に本発明のサポータを装着した状態を示す全体斜視図である。
【図５】足に本発明のサポータを装着した状態を示す全体斜視図である。
【図６】足に本発明のサポータを装着した状態を示す全体斜視図である。
【図７】足にサポータを装着した場合の脂肪組織の状態を示す足の背面図である。
【図８】足にサポータを装着した場合の脂肪組織の状態を示す足の側面図である。
【図９】第２実施形態のサポータを示す全体斜視図である。
【図１０】サポータを用いた靴下の全体斜視図である。
【図１１】サポータを用いた靴下の装着状態を示す全体斜視図である。
【符号の説明】
【００２８】
１  サポータ
２  装着部
２１  第１ファスナー
２２１、２３１  第３ファスナー
３ａ、３ｂ  帯体
３３ａ、３３ｂ  第２フィスナー
３１１ａ、３１１ｂ  スリット
【図１】
2008212630.tif 000003
【図２】
2008212630.tif 000004
【図３】
2008212630.tif 000005
【図４】
2008212630.tif 000006
【図５】
2008212630.tif 000007
【図６】
2008212630.tif 000008
【図７】
2008212630.tif 000009
【図８】
2008212630.tif 000010
【図９】
2008212630.tif 000011
【図１０】
2008212630.tif 000012
【図１１】
2008212630.tif 000013
【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
足の裏から足の甲にかけて外装されて足に対して固定される装着部と、前記装着部の外側面に設けられた第１ファスナーと、前記装着部に基端が固定され、踵方向へ延設された帯体と、前記帯体の先端部に設けられ、前記第１ファスナーに着脱自在に接続される第２ファスナーとを有し、前記帯体は、基端と先端とを結ぶ方向へ伸びる弾性体であり、足への装着時においては、伸張状態とされた後、足の踵部を覆った状態で爪先方向へ折り返され、伸張状態を維持したまま第２ファスナーが第１ファスナーに接続固定されることを特徴とするサポーター。
【請求項２】
前記帯体は、幅方向にも弾性変形可能に構成されている請求項１に記載のサポーター。
【請求項３】
前記帯体は、２つ以上設けられている請求項１又は２に記載のサポーター。
【請求項４】
前記装着部を足に装着した状態において、少なくとも一対の帯体は、それぞれ踵の側方
へ向けて、それぞれ異なる方向へ延設されており、足への装着時には踵部で交差するよう
に装着される請求項１〜３のいずれか１に記載のサポーター。
【請求項５】
前記装着部は、帯状に形成され、裏側面の一端部に前記第１ファスナーに着脱自在接
続される第３ファスナーを有し、装着部を足に巻きつけ、第１ファスナーに第３ファスナーを巻きつけることによって装着される請求項１〜４のいずれか１に記載のサポーター。
【請求項６】
足の裏から足の甲にかけて外装されて足に対して固定される装着部と、基端と先端が前記装着部の足裏部分と足甲部分とにそれぞれ接続されて環状に形成された帯体とを備えた履物であって、前記帯体は弾性体で構成され、足への装着時においては、前記帯体は、伸張状態で足の踵部を覆った状態となることを特徴とする履物。
【請求項７】
前記帯体は２つ以上設けられ、足への装着時においては、複数の帯体が、足の踵部で交差した状態となっている請求項６に記載の履物。
【手続補正２】
【補正対象書類名】明細書
【補正対象項目名】全文
【補正方法】変更
【補正の内容】
【発明の詳細な説明】
【技術分野】
【０００１】
本発明は、サポーター及び履物にかかり、より詳細には、足の踵部を保護するサポーター及び履物に
関する。
【背景技術】
【０００２】
足関節の痛み、踵の痛み、外反母趾、足の強い疲労感、タコの痛み等の障害は、立仕事をする者やスポーツの間において慢性的に持っていることが多い。このような障害の足部生体力学原因に足部骨格のアライメント異常（偏平足、凹足等）があり、歩行サイクルにおける立脚相おいて後足部が過回内をする。後足部の過回内は、上記障害の発生原因だけでなく歩幅の減少により歩行姿勢に影響し、頸、肩、腰の障害の原因ともされている。
【０００３】
上記障害がある場合、従来からの方法として足関節の固定サポーター、土踏まずを圧迫するサポーター、土踏まずにアーチサポートのある靴の中敷、または踵に当てるクッションパッド等が市販されている。これらは前額面での踵骨の外反、内反の動きを固定、または単に足裏を部分的に圧迫しているにすぎない。 このような場合には、既述の従来のサポーターでは、例えば特許文献１に示されているような足首サポーターなどか提案されている。
【特許文献１】特開２００１−３４６８２４号
【発明の開示】
【発明が解決しようとする課題】
【０００４】
しかしながら、上記特許文献１に記載のサポーターは、これらは前額面での踵骨の外反、内反の動きを固定、または単に足裏を部分的に圧迫しているにすぎない。回内や回外を予防するには、横足根関節及び距骨下関節の動きを同時に矯正する必要があるにもかかわらず、上記従来のサポーターの構成では、踵収納部自体は、伸縮性を保持しておらず、踵骨の回内や回外を予防することが困難であるといった問題があった。 
本発明の目的は、単に固定や圧迫をするのではなく、立脚相での後足部の過回内を矯正し正常な歩行サイクルに導くことのできるサポーター及び履物を提供することにある。
【課題を解決するための手段】
【０００５】
以上のような問題を解決する本発明は、以下のような構成を有する。 
(１)  足の裏から足の甲にかけて外装されて足に対して固定される装着部と、前記装着部の外側面に設けられた第１ファスナーと、前記装着部に基端が固定され、踵方向へ延設された帯体と、前記帯体の先端部に設けられ、前記第１ファスナーに着脱自在に接続される第２ファスナーとを有し、前記帯体は、基端と先端とを結ぶ方向へ伸びる弾性体であり、足への装着時においては、伸張状態とされた後、足の踵部を覆った状態で爪先方向へ折り返され、伸張状態を維持したまま第２ファスナーが第１ファスナーに接続固定されることを特徴とするサポーター。
【０００６】
(２)  前記帯体は、幅方向にも弾性変形可能に構成されている上記（１）に記載のサポーター。
【０００７】
(３)  前記帯体は、２つ以上設けられている上記（１）又は(２)に記載のサポーター。
【０００８】
(４)  前記装着部を足に装着した状態において、少なくとも一対の帯体は、それぞれ踵の側方へ向けて、それぞれ異なる方向へ延設されており、足への装着時には踵部の頂点で交差するように装着される上記（１）〜（３）のいずれか１に記載のサポーター。
【０００９】
(５)  前記装着部は、帯状に形成され、裏側面の一端部に前記第１ファスナーに着脱自在に接続される第３ファスナーを有し、装着部を足に巻きつけ、第１ファスナーに第３ファスナーを巻きつけることによって装着される上記（１）〜（４）のいずれか１に記載のサポーター。
【００１０】
(６)  足の裏から足の甲にかけて外装されて足に対して固定される装着部と、基端と先端が前記装着部の足裏部分と足甲部分とにそれぞれ接続されて環状に形成された帯体とを備えた履物であって、前記帯体は弾性体で構成され、足への装着時においては、前記帯体は、伸張状態で足の踵部を覆った状態となることを特徴とする履物。
【００１１】
(７)  前記帯体は２つ以上設けられ、足への装着時においては、複数の帯体が、足の踵部で交差した状態となっている上記（６）に記載の履物。
【発明の効果】
【００１２】
請求項１記載の発明によれば、装着部によって足に固定されたサポーターの帯体を、足の
踵を覆うように踵に巻きつけ、帯体を伸ばした状態で先端部の第２ファスナーを第１ファスナーに接続させる。帯体は、弾性体であるため、伸びた状態で踵部を覆うことで、踵部を包み込んだ状態で、踵骨に対して距骨や立方骨の方向へ押し込む力を与える。帯体は、全体が弾性体であるので、踵部に接触している部分も、全体として縮む方向（復元する方向）に力が生じており、踵部全体を包み込む方向に外力を加えつつ、踵骨の位置を矯正又は固定する作用を発揮する。また、踵骨につながる靭帯を補強する作用も発揮される。一方、装着部によって横足根関節の動きが規制され、帯体によって距骨下関節の動きが規制され、これらの効果が同時に作用することにより、後足部の過回内が有効に矯正される。さらに、踵の底に位置する脂肪パッドを帯体が両側から包み込むように圧迫するため、脂肪パッドの厚みが増し、足本来が持つ踵の衝撃吸収機能が向上する。
【００１３】
請求項２記載の発明によれば、帯体が幅方向にも弾性変形可能に構成されているので、踵骨を包み込む作用がさらに効果的に発揮され、後足部の過回内の矯正又は踵の固定、或いは踵骨周囲の靭帯を補強する作用が、さらに効果的に発揮される。請求項３記載の発明によれば、帯体を２つ以上設け、複数の帯体によって踵骨を矯正又は固定し、周囲の靭帯を補強する効果がさらに増大する。特に、各帯体を踵部に巻きつける方向を異なるものとすれば、踵骨の位置を固定する外力の方向が増えて、後足部の過回内の矯正又は踵の固定、或いは踵骨周囲の靭帯を補強する作用が一層有効に発揮される。特に、踵の底に位置する脂肪パッドを帯体が圧迫する力増加するため、脂肪パッドの厚みをより厚くし、衝撃吸収機能をさらに向上させることができる。
【００１４】
請求項４記載の発明によれば、少なくもと一対の帯体を、装着時に踵部の頂点で交差するように配置することで、踵を包み込む作用と、距骨や立方骨の方向へ押し込む力を最も効率よく発揮させることができる。請求項５記載の発明によれば、装着部を帯状として、足に巻きつけ、第１ファスナーに第３ファスナーを巻きつけることにより、装着部を装着する構成とすることにより、装着部をフリーサイズとすることができる。
【００１５】
請求項６に記載の発明によれば、装着部や帯体を履物に一体として設けることによって、履物自体に踵骨の位置を固定する作用を付与させることができる。 請求項７に記載の発明によれば、帯体を２つ以上設け、複数の帯体によって踵骨を矯正又は固定し、周囲の靭帯を補強する効果がさらに増大する。特に、各帯体を踵部に巻きつける方向を異なるものとすれば、踵骨の位置を固定する外力の方向が増えて、踵骨を一層安定させることができる。
【発明を実施するための最良の形態】
【００１６】
以下、本発明の好適実施形態について、添付図面に基づいて詳細に説明する。図１は、本発明の第１実施形態のサポーター１を展開した状態を示す平面図である。サポーター１は、装着部２と、装着部２に一端が固定された２つの帯体３ａ、３ｂとを備えている。装着部２は、帯状に形成されており、足に巻きつけた際に外側に位置する側面には、第１ファスナーである全面に面状ファスナー２１が設けられている。装着部２の裏側２０において、その中央部には帯体３ａ、３ｂの基端が固定されている。装着部２０の一端は、２つに分割された接続部２２、２３が形成され、各接続部２２、２３の裏側には、第３ファスナーである面状ファスナー２２１、２３１がそれぞれ設けられている。これらの面状ファスナー２２１、２３１は、装着部２を足に巻きつけた際に、外側の面状ファスナー２１に接続される。
【００１７】
一方、１対の帯体３ａ、３ｂは、装着部２の中央部において基端部３２ａ、３２ｂが固定され、基端から先端へ向けて互いに離れる方向に傾斜した状態となっている。帯体３ａ、３ｂは、それぞれ弾性を有する布材３１ａ、３１ｂにより構成されており、先端部の裏側には、それぞれ第２ファスナーとしての面状ファスナー３３ａ、３３ｂが設けられている。また、帯体３ａ、３ｂには、長辺方向（図中  Ｘ軸方向）にスリット３１ａ、３１ｂが等間隔で、複数形成されており、幅方向（図中  Ｙ軸方向）にも同様に等間隔で配置され、幅方向には互い違いに配置されている。このスリット３１ａ、３１ｂは、切り込みであってもよく、幅方向に広がって、適宜帯体３ａ、３ｂの幅を拡張させる作用を有するものである。
【００１８】
このように構成されるサポーター１の作用について説明する。図２に示されているように、装着部２の裏側が足Ｆ１の表面に接触するように、装着部２を足に巻きつける。この際、帯体３ａ、３ｂの基端部が、足裏に位置し、踵側へ帯体３ａ、３ｂが延びるように装着部２の位置を調整する。装着部２を巻きつける際には、接続部２２、２３が外側に位置するように巻きつける。装着部２の外側には、全面に面状ファスナー２１が設けられているので、足のサイズに合わせて、接続部２２、２３の面状ファスナー２２１、２３１を面状ファスナー２１に接続する位置を調整することができる。そして、装着部２の裏面が足の甲や足裏に密着するように装着させる。
【００１９】
次に、図３に示されているように、どちらか一方の帯体３１ａを引き伸ばしながら、踵の頂点を覆うように、足首Ｆ２の外側から踵に巻きつけ、さらに引き伸ばして先端の面状ファスナー３３ａを、装着部２の足の甲に位置する部分に、足首Ｆ２の内側から接続する。帯体３１ａは、弾性材料で構成されているので、伸ばした状態で装着された帯体３ａは、踵を足本体へ向けて押さえつける方向に締付けることとなる。同様に、図４に示されているように、他方の帯体３１ｂを引き伸ばしながら、踵の頂点を覆うように、足首Ｆ２の内側から踵に巻きつけ、さらに引き伸ばして先端の面状ファスナー３３ｂを、装着部２の足の甲に位置する部分に、足首Ｆ２の外側から接続する。
【００２０】
図５及び図６に示されているように、踵部Ｆ３の頂点部分２つの帯体３ａ、３ｂが交差することで、２つの帯体３ａ、３ｂの復元力が両側から均等に加わり、踵骨を矯正又は固定し、或いは靭帯を補強する作用が発揮される。また、装着部２で横足根関節の動きを規制し、帯体３ａ、３ｂで距骨下関節の動きを規制することで、連動して動く横足根関節と距骨下関節とを同時に規制し、立脚相での後足部の過回内を矯正し、正常な歩行サイクルに復帰させることができる。各帯体３ａ、３ｂに形成されているスリット３１１ａ、３１１ｂは、踵部分で広がることで、帯体３ａ、３ｂの幅を広くさせる作用があり、これにより、踵部をより広い範囲で包み込むことができ、踵骨を確実に保持することができる。さらに、図５中において、矢印Ｓ１、Ｓ２、Ｓ３、Ｓ４に示されているように、踵部Ｆ３に対して交差する方向から力が加わることとなる。
【００２１】
図７及び図８は、本発明のサポーター１を装着した足の骨格を示す図である。図７（Ａ）に示されているように、サポーター１を装着する前の状態では、踵骨Ｂ１の下側にある脂肪組織(脂肪パッド部分Ｈ１)は平たくなっているが、図７（Ｂ）に示されているように、サポーター１を装着すると、帯体３ｂ、３ａによって、踵骨Ｂ１の周囲の脂肪組織が骨の方向(矢印Ｓ５、Ｓ６方向)に圧迫され、下方へ押し出される。この結果、脂肪パッド部分Ｈ１の厚みが増加する。
【００２２】
同様に、図８（Ａ）に示されているように、足Ｆ１の甲部分と、踵の後部には、脂肪組織が存在する。ここで、サポーター１を装着すると、図８(Ｂ)に示されているように、踵の後部に位置する脂肪組織が帯体３ａ、３ｂによって圧迫されて（矢印Ｓ８方向）、踵の下方へ押し出され、また、土踏まず部分に位置する脂肪組織も装着部２によって圧迫されて（矢印Ｓ７方向）、踵の方へ押し出される。これらの作用によっても、脂肪パット部分Ｈ１の厚みが増加する。これらの作用によって、脂肪パッドによる踵の衝撃吸収機能を向上させることができる。
【００２３】
以上説明した構成の他、帯体３ａ、３ｂは、足の甲に位置する部位に基端が固定され、先端を足の裏に位置する部位で面状ファスナー３３ａ、３３ｂを装着部２に接続する構成としてもよい。この他、第２実施形態として、図９に示されているように、帯体３Ａａ、３Ａｂの基端と先端をそれぞれ第１実施形態で接続される位置に(縫い付けなどにより)予め固定した構成とし、装着部２Ａをループ状の弾性帯体で構成してもよい。このような構成とした場合には、装着部２Ａ及び帯体３Ａａ、３Ａｂを引き伸ばした状態として足に装着する装着方法が採られる。この場合、帯体３Ａａ、３Ａｂの交差する部分の上部に形成された挿入口３９から足を挿入する。この為、装着部２Ａ及び帯体３Ａａ、３Ａｂの伸張前の長さは、装着される足の大きさよりも十分小さく設定され、足への装着時には、伸張状態となり、足に対して適度な圧迫固定が可能となるように構成されている。
【００２４】
このように構成されたサポーター１Ａは、図１０、図１１に示されているように、靴下や足袋などの履物に一体として構成されていてもよい。図１０は、サポーター１Ａが靴下４に一体として縫着された構成を示す全体斜視図、図１１は、該靴下４が足に装着された状態を示す全体斜視図である。靴下４の足首を構成する部分が、サポーター１Ａで構成され、装着部２Ａのつま先側に、靴下のつま先部分を構成する袋状部４１が縫着等により接続され、帯体３Ａａ、３Ａｂ交差部分に形成された挿入口３９に口４２を有する脚部４３が接続されている。このように構成された靴下４を装着することによって、図１１に示されているように、足首に対してサポーター１Ａが作用するよう構成することができる。さらに、他の構成例として靴下に重ねてサポーター１Ａを一体として取り付けてもよく、取付位置は、靴下の裏側であっても、外側であってもよい。
【００２５】
上記第３実施形態に加えて、スリッパ、サンダル、靴などの履物と一体として構成されていてもよい。また、スリッパ、サンダル、靴など、足の甲の部分が露出する履物の場合には、帯体３ａ、３ｂの先端を面状ファスナーで接続する構成の第１実施形態のサポーターが一体として、履物に取り付けてもよい。この場合には、装着部２が、履物の底部に固定された構成を採ることができる。底部材に対して、足の甲を挿入する装着部２が履物の一部を構成する構成とすることもできる。
【００２６】
上記説明した各構成において、帯体３ａ、３ｂは、２つに限らず、３つ以上設けられていても良い。帯体の構成は、ゴム材を帯状に形成したものや、弾性繊維で編み込まれた織物、或いは伸縮可能に織り込まれた織物の一部に弾性繊維を織り込んだものなど、弾性を有する帯であればよい。
【図面の簡単な説明】
【００２７】
【図１】本発明のサポーターを展開した状態を示す平面図である。
【図２】足に装着部を装着した状態を示す全体斜視図である。
【図３】足に帯体の一部を装着した状態を示す全体斜視図である。
【図４】足に本発明のサポーターを装着した状態を示す全体斜視図である。
【図５】足に本発明のサポーターを装着した状態を示す全体斜視図である。
【図６】足に本発明のサポーターを装着した状態を示す全体斜視図である。
【図７】足にサポーターを装着した場合の脂肪組織の状態を示す足の背面図である。
【図８】足にサポーターを装着した場合の脂肪組織の状態を示す足の側面図である。
【図９】第２実施形態のサポーターを示す全体斜視図である。
【図１０】サポーターを用いた靴下の全体斜視図である。
【図１１】サポーターを用いた靴下の装着状態を示す全体斜視図である。
【符号の説明】
【００２８】
１  サポーター
２  装着部
２１  第１ファスナー
２２１、２３１  第３ファスナー
３ａ、３ｂ  帯体
３３ａ、３３ｂ  第２フィスナー
３１１ａ、３１１ｂ  スリット